(57)【特許請求の範囲】
【請求項１】
所定の外部装置と接続されて該外部装置側とデータの受け渡しを可能とするデータ通信手段と、処理すべき単位動作の内容を特定する参照情報を含む複数の処理指示語を記憶可能とする事象データ記憶手段と、該事象データ記憶手段に備えた処理指示語を解読して各処理指示語で参照される情報に対応した表示をディスプレイ上で行う制御手段と、を備えたプログラム式表示装置用の操作画面を作成する方法であって、
前記処理指示語をベース画面上に複数配設することによって構成された基本画面を規定する第１のデータ群を入力する工程と、
該第１のデータ群中の各処理指示語に含まれる参照情報のデータ群に代えて使用する第２のデータ群を入力する工程と、
前記基本画面を実際に使用する操作画面に変換する手順であって、所定のプログラム言語を使用し、各操作画面毎に個別に規定された第３のデータ群を入力する工程と、
該第３のデータ群と前記第２のデータ群に基づいて、前記第１のデータ群中における対応データを自動的にデータ処理する工程とを備え、
前記第１のデータ群中における各処理指示語は、参照情報として固定データと可変データとを備え、該第１データ群中における可変データを未定値または所定値に予め設定する一方、
前記第２のデータ群を、前記第１のデータ群中における可変データに対応させて設定しておき、
前記第１のデータ群中の処理指示語における参照情報を、前記第３のデータ群を参照しながら前記第２のデータ群に対応した値に設定するものであって、更に
前記第２のデータ群の入力工程では、前記第１のデータ群中の可変データの入力項目が一覧できる形式でデータ入力可能に表示され、
前記第３のデータ群により規定される変換手順には、
前記一覧できる形式の入力項目中における特定の項目に記入されたデータ内容を判定してその判定内容に対応したデータ処理動作を行わせる、前記プログラム言語に対応した制御用データが含まれることを特徴とするプログラム式表示装置用の操作画面作成方法。
【請求項２】
前記制御用データが制御文であることを特徴とする請求項１記載の操作画面作成方法。
【発明の詳細な説明】
【０００１】
【発明の属する技術分野】
この発明は、工業用あるいは家庭用など各種のプログラム式表示装置にあって、操作あるいは表示用として使用する操作画面の作成方法に関する。
【０００２】
【従来の技術】
この種の操作画面作成用として本出願人は以前、予めデータ登録しておいた部品図形データを利用し、部品図形の選択および配置をディスプレイ上で行うことにより、必要な操作画面が容易に作成できる操作画面作成装置を提案した（例えば、特開平７−２２５７８９号公報参照）。
【０００３】
更に、前記した操作画面作成装置を利用して基本的な操作画面を作成する一方、作成した画面をディスプレイ上で複写するとともに、各部品図形毎の指定アドレスや表示色などの設定項目を手動で個別に変更することにより、新たな操作画面を作成する方法も考えられる。
【０００４】
【発明が解決しようとする課題】
しかしながら、上記した操作画面の作成を部品図形データの利用によって行う方法にあっては、必要とする画面毎に個別に画面設計を行う必要があるため、依然として操作画面の作成に多くの時間を要する。
【０００５】
これに対して、予め作成しておいた操作画面を利用する方法にあっては、操作画面の作成時間が短縮される反面、アドレスの設定箇所の様に画面動作に必要な変更箇所を予め理解しておく必要があるため、第三者が作成した操作画面を利用する場合は変更を要する箇所を判断すること自体に手間を要するとともに、ともすると設定の変更漏れが発生するなど使い勝手が悪い。
【０００６】
本発明はかかる不都合に鑑みてなされたものであって、変更必要箇所を所定値あるいは変数で置き換えた汎用画面を予め作成しておき、変更画面においては変更箇所を一覧可能な表形式で表示することにより、変更を必要とする設定項目が容易に判断でき、簡易に操作画面の作成ができる方法を提供することを目的とする。
【０００７】
【課題を解決するための手段】
本発明を実施するプログラム式表示装置１０は、図１（ｂ）に例示する如く、所定の外部装置１１と通信路１２を介して接続され、その通信路１２を通じて外部装置１１側とデータの受け渡しを可能とするデータ通信手段１３と、処理すべき単位動作の内容を特定する参照情報を含む複数の処理指示語を記憶可能とする事象データ記憶手段１４と、その事象データ記憶手段１４に備えた処理指示語を解読し、各処理指示語で参照される情報に対応した表示をディスプレイ１５上で行う表示制御手段１６とを備えている。
【０００８】
更に、上記した参照情報が未定または所定値の図７（ｂ）に例示するような基本画面１７を作成する工程と、作成された基本画面群中から使用する基本画面１７を選択する工程と、選択した基本画面１７の参照情報を設定する工程とを備え、この参照情報の設定工程において、参照情報中に含まれるデータ設定を必要とする各項目が、図８に例示するような、所定の文字列による一覧形式で表示されることを特徴とする。
【０００９】
上記した基本画面１７は、ベース画面１８上に配設される１または複数の機能部品１９と、各機能部品１９毎の動作内容を特定する１または複数の処理指示語との組み合わせで構成され、その処理指示語における各設定項目が、各機能部品１９毎に区分された一覧形式で表示されるように構成することができる。
【００１０】
上記した一覧形式の設定項目を、１つの機能部品１９を単位として複写または削除を可能とする一方、その機能部品１９を単位とした変更に対応して、ベース画面１８上における対応する機能部品１９が追加または削除されるように構成することもできる。
【００１１】
更にまた、図１（ａ）に示すごとく、処理すべき単位動作の内容を特定する参照情報を含む処理指示語を、例えば基本画面作成手段２１を使用してベースとなる画面上に複数配設することによって構成された基本画面１７を規定する第１のデータ群２２と、基本画面１７中に備える各処理指示語に対して予め設定されている参照情報に代えてあるいは加えて使用する第２のデータ群２３とを、基本画面修正手段２４の入力データとしている。ここで第２のデータ群２３に基づいて、第１のデータ群２２中における対応データが自動的にデータ処理されることを特徴とする。
【００１２】
上記した基本画面１７には、使用される可能性のある最大限の個数の処理指示語が予め配設されており、上記した第１および第２のデータ群２２・２３に加えて、基本画面１７を実際に使用する操作画面２５に変換する手順を規定した第３のデータ群２６を更に入力データとして備えることができる。
【００１３】
この場合、上記した第２のデータ群２３および第３のデータ群２６を参照し、基本画面１７中から不要な処理指示語を削除するとともに、処理指示語中における参照情報を第２のデータ群２３を使用して設定することにより、必要な操作画面データ２７が作成される。
【００１４】
上記した参照情報は、処理指示語を最小単位として、データ設定を可能とする第２のデータ群２３の入力項目が一覧可能な表形式でデータ入力可能に表示されるとともに、特定の入力項目におけるデータ内容を第３のデータ群２６中において参照し、対応するデータ処理動作を行う様に構成することが好ましい。また上記した処理指示語は、複数が一体となって１つの機能部品１９が構成され、各機能部品１９を単位として上記したデータ処理を行うことも可能である。
【００１５】
【発明の効果】
本発明は上記の如く、参照情報が未定または所定値とした汎用的な基本画面を予め作成しておき、その基本画面の編集画面においては参照情報中で設定が必要なデータ項目を一覧形式で表示することにより、変更または設定を必要とするデータ項目が容易に判断でき、操作画面の作成に対する特別な知識を必要とすることなく、簡易に操作画面の作成ができる。
【００１６】
更に基本画面１７から操作画面２５への変換を、変換の実行手順を記載した第３のデータ群２６を用いて参照情報設定用の第２のデータ群２３を参照しながら行うことにより、より複雑な操作画面の作成が容易かつ的確に行える。
【００１７】
【発明の実施の形態】
以下本発明を、操作画面の作成装置２８およびそこで作成された操作画面を利用するプログラム式表示装置１０の構成に基づいて具体的に説明する。なお、プログラム式表示装置１０に接続する外部装置１１として、図２の様に工業用のプログラマブルコントローラ（以下、「ＰＬＣ」と略す。）を使用した例に基づいて具体的な説明を行うが、外部装置として汎用あるいは専用のコンピュータあるいはその他の制御装置を使用したもの、あるいは家庭内における各種電気製品の動作を制御する装置にあっても、略同様に実施できることは勿論である。更に作成された操作画面を使用するプログラム式表示装置１０の構成も一例であって、その構成が限定されるものではない。
【００１８】
プログラム式表示装置１０は、ＰＬＣ２９とともにターゲットシステム３０の操作卓などに一体に組み込み、あるいはそれ自身が独立して配備され、ターゲットシステム３０に対する操作および表示盤として使用されるものであって、後述する処理指示語を用いて各種の設定あるいは制御動作を行なわせる。
【００１９】
ターゲットシステム３０を制御するＰＬＣ２９は、ＣＰＵユニットやメモリユニットなどの必要とする個別の機能毎に回路がユニット化され、各ユニットを必要に応じて適宜増減可能に並列接続することにより、ＰＬＣ２９における全体として達成される機能を変更可能とする従来と略同様な構成のものである。
【００２０】
また、ターゲットシステム３０に対して入出力される各種情報の格納場所が、制御あるいは表示すべきターゲットシステム３０上に備えたレベル計やリミットスイッチの様な受動部品あるいはリレーやモータの様な能動部品毎にメモリユニット上に確保され、入出力されるデータが数値の様なワードデータに対してはワードデバイスが、オンオフ情報の様なビットデータに対してはビットデバイスが指定されるとともに、各デバイスに対して例えば「Ｄ１００」の様な機種固有のデバイス名を予め設定することにより、デバイス名の指定によって格納場所を特定可能に必要なデータがメモリユニット内に格納されている。
【００２１】
従って、ＰＬＣ２９の内外部からメモリユニット内における任意のワードデバイスあるいはビットデバイスに対してデバイス名を指定してアクセスするだけで、ＰＬＣ２９内の実際のアドレスを知ることなく、ターゲットシステム３０の対応位置を制御し或いはその動作状態に関するデータが個別に取り出せる様にしている。
【００２２】
プログラム式表示装置１０はパソコン装置と略同様の構成であって、図２に示す表示制御回路３１を備えるとともに、ディスプレイ１５における画面の前面を透明なタッチパネル３２により密着状態で覆い、タッチパネル３２に対する押圧操作による指示は、タッチパネルコントローラ３３を介して取り込まれて座標が解析され、テスト時、システム全体としての運転開始前における初期設定時あるいは運転中における指先による各種手動操作を可能とする。
【００２３】
ここでプログラム式表示装置１０においては、図３に例示する如く、表示内容に変更を要しない図形や文字が記載されたベース画面１８およびそのベース画面１８上で形状変化や点滅あるいは色変化させるランプやスイッチの様な各種の機能部品１９を、必要とする表示単位毎に１つのファイル番号Ｆを指定し格納しておく。
【００２４】
一方、図５の様に事象データ用メモリ３４上に予め格納しておいた図４で例示する処理指示語Ｗを微小時間毎に間欠的に読み出し、各処理指示語Ｗの事象名Ｎで特定される内容の動作をＰＬＣ２９側から取り出されたデータを参照しながら順次に実行することにより、ＰＬＣ２９側のビットデバイスあるいはワードデバイスの内容変化に即応して表示図形が変化する表示動作が行われる。
【００２５】
すなわち処理指示語Ｗの基本的な構成は、表示制御動作を実行すべきベース画面１８のファイル番号Ｆと、そのベース画面１８上で実行すべき動作内容を特定する事象名Ｎと、各実行事象毎に参照される１又は複数のデータからなる参照情報ｒとを１組として備えている。
【００２６】
例えば、図４（ｂ）に示す処理指示語ＷＴは、タッチパネル３２に対する押圧操作と連動して、状態データ用メモリ３５内の所定ビット位置のデータを反転可能とするものである。すなわち、ベース画面１８のファイル番号Ｆ１、タッチパネル３２の操作を特定する例えば「Ｔ」から始まる事象名Ｎ１、タッチパネル３２からの入力操作を有効とする入力座標範囲Ｘ・Ｙ、タッチパネル３２の押し操作と連動してデータを書き換えるべきビット位置Ａとから構成される。
【００２７】
更に図４（ｃ）に示す処理指示語ＷＬは、上記したタッチパネル３２の操作と連動して、対応位置に所定の図形を表示可能とするものである。すなわち、ＲＡＭ５３上に展開した状態データ用メモリ３５内の所定ビット位置の変化に対応して、ベース画面１８上の所定位置に所定の機能部品図形３７を表示可能とするものであって、ベース画面１８のファイル番号Ｆ１、機能部品図形３７の表示を特定する例えば「Ｌ」から始まる事象名Ｎ２、機能部品図形３７の表示座標範囲Ｘ・Ｙ、呼び出す部品図形３７を特定するファイル番号ＦＬ、部品図形３７を表示時に参照する状態データ用メモリ３５内のビット位置Ａとから構成される。
【００２８】
そこで図５（ａ）の様に、座標範囲Ｘ・Ｙと参照ビット位置Ａ１とを一致させた２つの処理指示語ＷＬ１・ＷＴ１を事象データ用メモリ３４に設定しておく。また、状態データ用メモリ３５のビット位置Ａ１のデータが「０」の場合、それをスイッチのオフ状態に予め対応させておくと、ＰＬＣ２９ではスイッチ接点のオフ動作を行う。それと同時に、スイッチのオフ状態に対応する部品図形３７のデータＦＬ１をグラフィック用メモリ３６から読み出し、ベース画面１８上の座標範囲Ｘ・Ｙに展開して表示する。
【００２９】
ここでタッチパネル３２におけるスイッチ形状の機能部品図形３７の表示場所を押すと、タッチパネル用の処理指示語ＷＴを検索し、タッチパネル３２を介してなされた指示座標から該当の座標を含む範囲を参照情報ｒとして有する処理指示語ＷＴの有無を判定する。
【００３０】
例えば、座標範囲Ｘ・Ｙの内の一点が押された場合、上記の様にして構成された処理指示語ＷＴ１に対応するので、図５（ｂ）に示す如く、該当のビット位置Ａ１におけるデータ値を「０」から「１」に反転し、ＰＬＣ２９により該当のスイッチ接点をオンさせる。それと同時に、処理指示語ＷＬ１は参照ビットが「１」に変化したことを判断し、スイッチのオン状態に対応する機能部品図形３７のデータＦＬ２をグラフィック用メモリ３６から読み出して該当の座標範囲Ｘ・Ｙ上に表示することにより、ディスプレイ１５上に表示されたスイッチ形状の機能部品図形３７も、オフ状態からオン状態へと変更されるのである。
【００３１】
本発明を実施する操作画面作成装置２８は、汎用的なパソコン装置あるいは上記したプログラム式表示装置１０上でソフトウェアによってその機能が構成されるものであって、図６でその構成を概略的に示す如く、必要な処理動作を行う制御部３８と、その制御部３８での処理状態を表示する表示部３９と、制御部３８で処理されたデータを保存する記憶部４０とから構成される。
【００３２】
なお制御部３８中には、任意の操作画面２５を作成可能とする操作画面作成部４１と、作成された操作画面２５を図７（ａ）のような基本画面１７として保存可能とする基本画面保存部４２と、保存された基本画面１７を利用修正して実際に使用する図７（ｂ）のような操作画面２５を作成する基本画面修正部４３とを同時に備えたものを例示しているが、その全体を一体ないしは連携させた機能として備える必要はなく、各部の構成を独立させて個別に動作させることは可能である。
【００３３】
また、作成した操作画面２５または基本画面１７をデバッグする機能、あるいはプログラム式表示装置１０へ転送するための機能など、各種操作画面２５の作成に必要な機能を適宜に増減して備えることもできる。
【００３４】
操作画面作成部４１は、図３に例示した様に、１または複数の処理指示語Ｗおよびそこから呼び出されるグラフィックデータ４６を利用して構成したスイッチやランプの様な機能部品１９、あるいはその他の処理指示語Ｗや各種図形をベース画面１８上に設定配置することにより、任意の操作画面２５を作成可能とするための各種機能を基本的に備えた従来と略同様な構成のものである。
【００３５】
上記の様に操作画面作成部４１で作成された操作画面２５を、通常はそのままファイル名を特定して記憶部４０中に保存する。しかしながら、その操作画面２５を同一フォーマットで繰り返し使用する基本画面１７として保存することを希望する場合は、基本画面保存部４２を用いて基本画面１７としての画面の保存操作を行う。
【００３６】
すると、その基本画面１７中で設定された処理指示語群と、各処理指示語中から参照されるグラフィックデータ４６とが、同一または互いに関連付けたファイル名称で特定されて保存される。
【００３７】
その際、処理指示語群中の参照情報ｒは、基本画面１７を利用した操作画面２５の作成希望者が変更を要しないか変更してはならない固定データ４４と、表示変化をさせるべきＰＬＣ２９側の番地やディスプレイ１５上での固定的な表示文字列の様な実際の使用場面毎に変更すべき可変データ４５とに分類される。
【００３８】
更に、可変データ４５が既に設定されていれば、初期設定状態のような所定値にし、あるいは変数文字で置き変えて未定状態とすることにより、使用する状況や装置に依存しない内容の基本画面用のデータ群が作成されるとともに、変数で置き換えられた各データ項目が、ベース画面１８上に配設された機能部品１９あるいは処理指示語を１つの単位として区分けされ、設定項目データ群として同時に保存される。
【００３９】
なお上記の如く、具体的な目的で作成された操作画面２５を汎用的な基本画面１７として保存することもできるし、可変データ４５に対して上記した特別なデータ処理を施すことなく、既に入力されている値をそのまま維持した操作画面を、基本画面１７としてそのまま利用することもできる。しかしながら、以下において示す実施例にあっては、基本画面１７を特別に作成し、その基本画面１７を利用して必要な操作画面２５を作成する例を示す。
【００４０】
基本画面１７は、図７（ａ）に例示するごとく、実際に使用する操作画面として将来必要になるであろうと考えられる最大の個数の機能部品１９あるいは処理指示語を用いて作成される。この例にあっては、ベース画面１８の全面を利用して、２０個のランプと、５個のスイッチが配設されている。
【００４１】
一方、上記のようにして作成した複数の基本画面１７中から、画面のファイル名称を直接特定し、あるいは図８の如くプレビュー画面４７で実際の画面配置を確認したのち、その画面を直接マウスでクリックするなどして利用する基本画面１７を選択すると、一覧表４８を備えた編集画面４９が表示部３９上に開く。
【００４２】
かかる一覧表４８は、基本画面１７の保存時に選択された可変データ４５中の設定項目データ群が一覧可能な表形式で表示されるものである。すなわち、各機能部品１９を特定する「ＳＷ１」の様な記号に加えて、各機能部品１９が参照するデバイス名の様に操作画面毎の個別の設定を必要とする指定項目と、ランプが色変化した場合の指定色の様に変更することは可能であるがデフォルトの値も使用することが可能な選択項目とを、機能部品１９毎あるいは必要に応じて処理指示語を単位として、互いに区別を設けながら表示している。
【００４３】
したがって、１つの一覧表４８中には、１枚の基本画面１７中に設定した機能部品１９について１行ずつ設定項目群が列方向に配設され、全設定項目が一覧可能な状態で表示される。そこで、指定項目については必要なデータを直接指定し、選択項目については、例えばリスト形式で表示されるデータ群中から必要に応じてデータを選択指定するだけで、基本画面１７からのデータ変更が必要な各項目について、データの指定動作が終了する。
【００４４】
ところで、図７（ａ）に示す基本画面１７から図７（ｂ）に示す操作画面２５の作成を希望する場合にあっては、機能部品１９の「ＬＰ９」や「ＳＷ２」のような図７（ｂ）において破線で示す不要な機能部品１９が存在する。
【００４５】
そこで本発明にあっては、基本画面１７の作成時や基本画面１７の修正時のような適当な時期に、エディタのような変換手順作成手段５２を使用し、変換手順データ５０を作成して記憶部４０に格納するようにしている。この変換手順データ５０は、例えば所定の構文で規定されたプログラム言語により、下記のデータ処理動作を行わせるものである。
【００４６】
変換手順としては、上記した一覧表４８において入力されたデータを基本画面１７が既に保有しているデータと置き換えるか新たに設定する動作、不要な機能部品１９や処理指示語をベース画面１８上から削除する動作、あるいはベース画面１８上に表示されている機能部品１９や処理指示語を他のものと入れ替える動作、画面上での表示データ中から特定の文字列を検索して置き換える動作、あるいは画面中から参照する画面番号の変更動作など、基本画面１７を修正して操作画面２５を作成するのに必要とする動作をさせるための各種のコマンドが用意されている。
【００４７】
更に変換手順データ５０中には、一覧表４８中における特定の項目に記入されたデータ内容を判定して、その判定内容に対応したデータ処理動作を行わせることを可能とする制御文を含む。たとえば、特定項目のデータが空であったり削除のような指示内容が具体的にチェックされていると、そのデータに対応する機能部品１９、あるいはそのデータに対して予め対応つけられている他の機能部品１９をベース画面１８上から削除したり、他の機能部品１９と入れ替えるような所定のデータ処理動作が行われる。
【００４８】
したがって、上記の様にして一覧表４８を利用して必要なデータ入力を行ったあと、変換手順データ５０として記載されたプログラムないしは実行手順を実行することにより、図７（ａ）に例示する基本画面１７は、図７（ｂ）に示す操作画面２５へと自動的に修正されるのである。
【００４９】
なお、基本画面１７に対する設定データの作成手段５１を、図８の様に専用のプログラムでそれ専用に構成するのに代えて、汎用的な表計算ソフトを用いて既定の入力項目に対する一覧表を作成しておき、その一覧表中のデータを例えばＣＳＶ形式のような汎用的なデータ形式で読み出して利用することも可能である。
【００５０】
その場合、ＣＡＤを利用して作成したＰＬＣシーケンス図中のデータをＣＳＶ形式で読み出してそのデータを直接利用し、あるいは前記した一覧表４８に一旦読み出すことにより、デバイスアドレスのようなＰＬＣ側の設定が関係する各種データの記入および修正が自動的に行える。
【００５１】
また、基本画面１７の変換手順を記載したデータ５０は、ＣやＢＡＳＩＣのような規定のプログラム書式に準拠した仕様、あるいは独自の仕様など、基本画面１７の変換手順を的確に表現できるものであれば、任意に設定できる。
【００５２】
更に、データに対する修正処理を加える一覧表４８中における表示単位や、各設定項目の内容は、基本画面１７の作成あるいは保存時に適宜設定変更できる。また、一覧表４８に表示する項目の種類およびその表示順も任意に変更できることは勿論である。
【００５３】
上記した機能部品１９には、スイッチやランプの様な一般的な電気部品に加えて、グラフや表の様なデータ表示専用部品など、プログラム式表示装置１０における操作画面２５の設計に利用できる全ての機能部品１９が含まれる。
【００５４】
また機能部品の複写を一覧表上で行うと、同一内容の処理指示語が複製される様に構成することができる。その場合、ベース画面上に表示される部品図形の表示位置が、横方向の余白のような予め設定した位置座標に設定変更されるとともに、一覧表上に変更可能なデータとして表示される。更に設定変更した基本画面の表示状態は、プレビュー画面を開くことにより実際に確認できるように構成することもできる。
【図面の簡単な説明】
【図１】本発明を実施するプログラム式表示装置および操作画面作成装置の概略的な構成を例示する説明図である。
【図２】プログラム式表示装置の一例を示すブロック図である。
【図３】操作画面の一例を示す説明図である。
【図４】処理指示語の構成を示す説明図であって、（ａ）は処理指示語の基本的な構成、（ｂ）はタッチパネルを用いたデータ入力用の処理指示語の構成、（ｃ）は図形表示用の処理指示語の構成を各々示す。
【図５】プログラム式表示装置の動作手順を示す説明図である。
【図６】操作画面作成装置の概略的な構成を示す説明図である。
【図７】基本画面の修正手順を示す説明図であって、（ａ）は基本画面の一例を、（ｂ）は基本画面を修正して作成した操作画面の一例を各々示す。
【図８】基本画面の修正用画面の一例を示す正面図である。
【符号の説明】
１０  プログラム式表示装置
１１  外部装置
１２  通信路
１３  データ通信手段
１４  事象データ記憶手段
１５  ディスプレイ
１６  表示制御手段
１７  基本画面
１８  ベース画面
１９  機能部品
２１  基本画面作成手段
２２  第１のデータ群
２３  第２のデータ群
２４  基本画面修正手段
２５  操作画面
２６  第３のデータ群
２７  操作画面データ
２８  作成装置
２９  ＰＬＣ
３０  ターゲットシステム
３１  表示制御回路
３２  タッチパネル
３３  タッチパネルコントローラ
３４  事象データ用メモリ
３５  状態データ用メモリ
３６  グラフィック用メモリ
３７  機能部品図形
３８  制御部
３９  表示部
４０  記憶部
４１  操作画面作成部
４２  基本画面保存部
４３  基本画面修正部
４４  固定データ
４５  可変データ
４６  グラフィックデータ
４７  プレビュー画面
４８  一覧表
４９  編集画面
５０  変換手順データ
５１  変更データ作成手段
５２  変換手順作成手段
【図１】
0003585158.tif 000002
【図２】
0003585158.tif 000003
【図３】
0003585158.tif 000004
【図４】
0003585158.tif 000005
【図５】
0003585158.tif 000006
【図６】
0003585158.tif 000007
【図７】
0003585158.tif 000008
【図８】
0003585158.tif 000009